(57)【要約】      （修正有）【課題】単純な構成で収納時の折畳みまたは使用時の組立が容易であり、スプリングの劣化によるトラブルの恐れの無いかご台車を開発すること。【解決手段】底板１６の両側面の後方に支持ピン２１と後部ガイドピン２２を突出させ、前方角部に前部ガイドピン２３を設けて、支持ピン２１は支持ブラケット２６のＬ字状長孔２７に嵌合し、底板１６が垂直時には後部ガイドピン２２が円周の上部から下方に案内される支持ブラケット垂直溝２８に入り垂直状態を保持し、使用時には底板１６を持ち上げて後部ガイドピン２２を支持ブラケット垂直溝２８から外して底板１６を水平に回動し、前部ガイドピン２３がガイドブラケット水平溝３２に案内されて、底板１６を後方に押すことにより前部ガイドピン２３と後部ガイドピン２２が水平溝の後方に移動し底板１６の上方への回動を防止する単純な構成で、作業性を向上し、トラブルの原因を減少させた。【選択図】図１
2011183932.tif 000002
【特許請求の範囲】
【請求項１】
後部枠と固定側枠、可動側枠及び底板を備え、後部枠の左右両端下部にキャスターを取り付け、固定側枠と可動側枠の前端部下部にキャスターを取り付けるとともに可動側枠が後部枠の内側に折畳み可能に軸支され、底板は水平状態から後部枠内側に垂直状態に回動が可能に構成されている運搬用かご台車において、底板の後端両側面に支持ピンを突出させて支持ピンのやや前方に後部ガイドピンを突出させ、底板の前方両サイド角部内側には前部ガイドピンを後部ガイドピンに平行に内在させて、後部枠下部横材の両端部近く底板側面の外側に後部枠に垂直に４半円形状の支持ブラケットを設け、支持ブラケットは底板支持ピンと嵌合する下方垂直に折れ曲がるＬ字状の長孔を有し、支持ブラケットの外周には後部ガイドピンが円周の上部から下方に案内される垂直溝と円周の前方から後方に案内される水平溝を有し、底板を回動して水平にしたときに前部ガイドピンが位置する両側枠下部横材の前方には前部ガイドピンが前方より後方に案内される前方開口の水平溝を有するガイドブラケットを備えて、底板を後部枠側に垂直状態に回動する際には後部ガイドピンが支持ブラケットの外周に沿って移動し垂直溝の入り口から下方に案内されると同時に、支持ピンがＬ字状長孔の垂直部分を下方に移動して底板を垂直状態に固定させ、底板を水平に回動するときには後部ガイドピンは垂直溝上方から支持ブラケットの外周に沿って水平溝の入口に案内され、支持ピンはＬ字状長孔の垂直部から水平部に案内されるとともに、前部ガイドピンが両側枠下部横材前方のガイドブラケットの水平溝の入り口に当たり、底板を後方に押すことにより前部ガイドピンと後部ガイドピンが水平溝の後方に移動して、支持ピンはそれにつれてＬ字状長孔の水平部後方に移動するように構成して底板の上方への回動を防止した運搬用かご台車。
【請求項２】
ガイドブラケットは水平溝開口端下部を入り口から後方に向けて下方に傾斜させて、底板を水平に倒した時または底板の上部に荷を乗せたときに荷の重量により前部ガイドピンが後方に動き底板が後方に移動するように構成した請求項１に記載の運搬用かご台車。
【請求項３】
底板前方両サイドの前部ガイドピンの上部に開口部を設け、ガイドブラケットとの嵌合状況を目視で確認できるよう構成した請求項１〜２に記載の運搬用かご台車。
【発明の詳細な説明】
【技術分野】
【０００１】
本発明は、保管時に折り畳むことの出来る運搬用かご台車の底板の固定構造に関する。
【背景技術】
【０００２】
従来、４隅下面にキャスターを有し、後部枠と固定側枠、可動側枠および底板とを備え、折り畳みに際しては、底板を後部枠下端に支軸をおき後部枠に重なるように回動起立させ、ついで可動側枠を後部枠内側に回動して重なるように折り畳んで、全体を平面形状Ｌ字状にしてネスティング可能な状態に構成されており、また組立てられた状態においては床部が動かないように床部を側枠下部横桟にロックするように構成されている。
【０００３】
この従来の運搬用かご台車では、使用時に底板を側枠にロックする構造が複雑であったり、ロック作業或いはロックを解除する作業に複数の作業が必要であるために、かご台車の組立て或いは折畳み作業に時間がかかるとともに、その作業性が悪いという問題があった。
【０００４】
そこで、このような問題を解決するために特開平１１−２２２１３５に記載されたかご台車が提案されている。図７のように、底板１０７を、垂直位置から、側枠下部横材１０１に載置されるように回動した際には、コイルスプリングｃ２により、底板１０７の枢支軸方向に付勢されているロック杆ｃ１が、ロック杆受け部材ｃ４の上部に形成された傾斜案内部ｃ４”に当接し、傾斜案内部ｃ４”に沿って、且つ、コイルスプリングｃ２の付勢力に抗して、ロック杆受け部材ｃ４の溝ｃ４’の開口側に移動し、溝ｃ４’の開口に入った時点で、コイルスプリングｃ２の付勢力により、溝ｃ４’に挿入されることになる。このようにして、側枠下部横材１０１に載置された底板１０７が、側枠下部横材１０１に対してロックされるように構成されている。
【０００５】
また、開口部１０７ｄに手を入れて、底板１０７に形成されている開口部１０７ｄを横切るロック杆ｃ１を、コイルスプリングｃ２の付勢力に抗して、底板１０７の前方に引いて、ロック杆受け部材ｃ４の溝ｃ４’に挿入されているロック杆ｃ１を溝ｃ４’から出すとともに、底板１０７を、枢支軸を中心に、上方に回転させることにより、側枠下部横材１０１にロックされた底板１０７のロックを解除することができる。
【０００６】
底板１０７を、後部枠１０２に重なるように略垂直状態に回動させる際には、底板１０７の枢支軸方向に付勢されているロック杆ｃ１が、後部枠１０２に取着されたロック杆受け部材ｃ５に形成された傾斜案内部ｃ５”に当接し、傾斜案内部ｃ５”に沿って、且つ、コイルスプリングｃ２の付勢力に抗して、溝ｃ５’の開口に向かい、溝ｃ５’の開口に入った時点で、コイルスプリングｃ２の付勢力により、下方に移動し横溝ｃ５’に挿入されることになる。このようにして、底板１０７が、後部枠１０２に重なるように、後部枠１０２に対してロックされるように構成されている。
【０００７】
なお、後部枠１０２にロックされた底板１０７のロックを解除する作業は、上述した側枠下部横材１０１にロックされた底板１０７のロック解除と同じである。
【先行技術文献】
【特許文献】
【０００８】
【特許文献１】特開平１１−２２２１３５
【発明の概要】
【発明が解決しようとする課題】
【０００９】
上記の特開平１１−２２２１３５の装置にあっては、底板にロック杆を配設しロック杆の横方向の規制をして、ロック杆をコイルスプリングにて一方向に引っ張る必要があった。スプリングの機能劣化という問題もあり、より単純な構成が望まれていた。
【課題を解決するための手段】
【００１０】
上記課題を解決するために本発明は、後部枠と固定側枠、可動側枠及び底板を備え、後部枠の左右両端下部にキャスターを取り付け、固定側枠と可動側枠の前端部下部にキャスターを取り付けるとともに可動側枠が後部枠の内側に折畳み可能に軸支され、底板は水平状態から後部枠内側に垂直状態に回動が可能に構成されている運搬用かご台車において、底板の後端両側面に支持ピンを突出させて支持ピンのやや前方に後部ガイドピンを突出させ、底板の前方両サイド角部内側には前部ガイドピンを後部ガイドピンに平行に内在させて、後部枠下部横材の両端部近く底板側面の外側に後部枠に垂直に４半円形状の支持ブラケットを設け、支持ブラケットは底板支持ピンと嵌合する下方垂直に折れ曲がるＬ字状の長孔を有し、支持ブラケットの外周には後部ガイドピンが円周の上部から下方に案内される垂直溝と円周の前方から後方に案内される水平溝を有し、底板を回動して水平にしたときに前部ガイドピンが位置する両側枠下部横材の前方には前部ガイドピンが前方より後方に案内される前方開口の水平溝を有するガイドブラケットを備えて、底板を後部枠側に垂直状態に回動する際には後部ガイドピンが支持ブラケットの外周に沿って移動し垂直溝の入り口から下方に案内されると同時に、支持ピンがＬ字状長孔の垂直部分を下方に移動して底板を垂直状態に固定させ、底板を水平に回動するときには後部ガイドピンは垂直溝上方から支持ブラケットの外周に沿って水平溝の入口に案内され、支持ピンはＬ字状長孔の垂直部から水平部に案内されるとともに、前部ガイドピンが両側枠下部横材前方のガイドブラケットの水平溝の入り口に当たり、底板を後方に押すことにより前部ガイドピンと後部ガイドピンが水平溝の後方に移動して、支持ピンはそれにつれてＬ字状長孔の水平部後方に移動するように構成して底板の上方への回動を防止したことを特徴とする。
【００１１】
また本発明は、ガイドブラケットは水平溝開口部下部を入り口から後方に向けて下方に傾斜させて、底板を水平に倒した時または底板の上部に荷を乗せたときに荷の重量により前部ガイドピンが後方に動き底板が後方に移動するように構成したことを特徴とする。
【００１２】
また本発明は、底板前方両サイドの前部ガイドピンの上部に開口部を設け、ガイドブラケットとの嵌合状況を目視で確認できるよう構成したことを特徴とする。
【発明の効果】
【００１３】
以上の説明から明らかなように、底板を垂直にした時には底板に付属の後部ガイドピンが支持ブラケットの垂直溝に入り込むと同時に支持ピンが支持ブラケットのＬ字状の長孔の垂直部を下降することにより、他の部品構成無しに垂直状態を維持できる。また、底板を水平にした時には底板に付属の前部ガイドピンがガイドブラケットの水平溝に入り込むと同時に後部ガイドピンも支持ブラケットの水平溝に入り込み、支持ピンは支持ブラケットのＬ字状の長孔の水平部を後進することにより水平状態を維持できる。このように、底板に付属した支持ピンと後部ガイドピンが支持ブラケットのＬ字状の長孔と溝に嵌合し前部ガイドピンがガイドブラケットの溝に嵌合するという単純な構成で底板の固定構造を成している。
【００１４】
底板を水平状態から後部枠側に回動する際には水平状態の底板を手前に引き前部ガイドピンをガイドブラケットの水平溝から外し、底板を回動して後部ガイドピンを支持ブラケットの垂直溝に案内して差し込むだけで垂直状態を保持できる。
【００１５】
またかご台車使用時には垂直状態の底板を持ち上げて後部ガイドピンを垂直溝から外し回動して水平にするだけで底板の前部ガイドピンがガイドブラケットの水平溝に案内され、底板を後方に押すことにより底板と両側枠がロックされる。スプリングも不要であり、ロック杆もなく単純な構成であるため収納時の折畳みまたは使用時の組立が容易であり、スプリングの劣化によるトラブルの恐れも無い。
【図面の簡単な説明】
【００１６】
【図１】使用時の底板位置の図（可動側枠を省略）
【図２】運搬用かご台車の外観図
【図３】底板の図
【図４】底板が垂直状態の図（可動側枠を省略）
【図５】底板を垂直状態で持ち上げた図（可動側枠を省略）
【図６】底板を水平に回動した図（可動側枠を省略）
【図７】特開平１１−２２２１３５の説明図
【発明を実施するための形態】
【００１７】
本考案の実施例として図を参照して説明する。図１、図２に示したように、運搬用かご台車１は後部枠１１と固定側枠１２および可動側枠１３と、荷を受ける底板１６と４隅のキャスター１８を有しており、前面と上面が解放された四角形状に形成されて後部枠１１及び両側枠１２、１３の内側の底板１６上に荷が収納される。
【００１８】
後部枠１１は図１に示すように、断面Ｌ字状の後部枠下部横材１４の上に丸パイプを逆Ｕ字状に屈曲形成した四角形状の外枠フレームと内部に交差した複数の縦部材および横部材とで構成されている。後部枠下部横材１４の両端部には底板幅の距離をあけて垂直前方に向けて底板保持用の四半円形状で板状の支持ブラケット２６が溶接固定されている。
【００１９】
この支持ブラケット２６は図１Ｂ部詳細に示すように中央に下方垂直に折れ曲るＬ字状長孔２７を有し、四半円形状外周には上部に支持ブラケット垂直溝２８と前部に支持ブラケット水平溝２９を加工している。また、後部枠下部横材１４の両端下部にキャスター取付板１７が溶接組付けされて下側にそれぞれキャスター１８が付けられている。
【００２０】
固定側枠１２は図１に示すように、断面Ｌ字状の側枠下部横材１５の上に丸パイプを逆Ｕ字状に屈曲形成した四角形状の外枠フレームと内部に交差した複数の縦部材および横部材とで構成されている。図１Ｃ部詳細に示すように側枠下部横材１５の前方に前部ガイドピン２３が嵌め合う板状のガイドブラケット３１を取付けており、ガイドブラケット３１には前部ガイドピン２３が開口前方から後方にスライドする前方開口のガイドブラケット水平溝３２が加工されている。またガイドブラケット水平溝３２の開口部下面は前方より後方に向かって下方に傾斜部３３を設けている。
【００２１】
固定側枠１２は後部枠１１の左側下部のキャスター取付板１７に溶接接合して後部枠１１と連結し、さらに固定側枠１２の外枠フレームと後部枠１１の外枠フレームとを複数の連結金具１９で溶接固定している。側枠下部横材１５の前方下部にキャスター取付け板１７を組み付け下側にキャスター１８を有している。
【００２２】
可動側枠１３も図２に示すように、断面Ｌ字状の側枠下部横材１５の上に丸パイプを逆Ｕ字状に屈曲形成した四角形状の外枠フレームと内部に交差した複数の縦部材および横部材とで構成されている。図１Ｃ部詳細に示すように側枠下部横材１５の前方には、前部ガイドピン２３が嵌合し開口前方から後方にスライドする前方開口のガイドブラケット水平溝３２を備えた板状のガイドブラケット３１を取付けている。また前方下部にはキャスター取付板１７とキャスター１８を有している。可動側枠１３後方の外枠フレーム下端が後部枠１１の右側のキャスター取付板１７に立てられた支持ピンに差込まれ、さらに可動側枠１３の外枠フレームと後部枠１１の外枠フレームとを回動可能な複数の連結金具１９で繋いでいる。
【００２３】
図３に示すような樹脂製または板金製の底板１６は、後面両端に支持ピン２１を取付けて支持ピン２１は底板１６両側面から突出させ、支持ピン２１の前方には後部ガイドピン２２を同一高さで突出させていて支持ピン２１と後部ガイドピン２２は後部枠下部横材１４両サイドに取り付けられた支持ブラケット２６に嵌合させている（図１）。図３に示すように底板１６前方両サイド角部内側には前部ガイドピン２３を設けており、前方ガイドピン２３は両側枠下部横材前方のガイドブラケット３１に嵌め合う。前部ガイドピン２３上方には嵌合状況の目視確認用に底板１６に開口部１６ａが設けてある。
【００２４】
以下、上記の構成における作用を説明する。
底板１６を起立垂直位置（図４）から水平位置に回動するときは、底板１６を上部に引き上げると後部ガイドピン２２が支持ブラケット垂直溝２８から外れ、支持ピン２１はＬ字状長孔２７の垂直溝の上部に上がる（図５）。
【００２５】
そのまま底板１６を水平に回動すると後部ガイドピン２２は支持ブラケット２６の四半円外周に沿って支持ブラケット水平溝２９に案内され、前部ガイドピン２３が両側枠下部横材１５に取付けられたガイドブラケット３１のガイドブラケット水平溝３２の開口部入り口に当たり（図６）、底板１６を後方に押すことにより前部後部両ガイドピンが容易に水平溝後方にスライドして、支持ピン２１は支持ブラケット２６のＬ字状長孔２７の水平部後方に案内され底板１６が上部に持ち上がらないよう規制される（図１）。
【００２６】
またガイドブラケット水平溝３２の開口部下面は図１C部詳細のように前方より後方に向かって下方に傾斜部３３を設けており、底板１６を水平に倒したときまたは底板１６を後方方向に押さずに荷積をしたときに、前部ガイドピン２３が傾斜部３３に当り底板１６が後方に押しやられる。底板１６の前部ガイドピン２３上方には開口部１６ａがあり、前部ガイドピン２３とガイドブラケット３１の嵌合状況が目視で確認可能となっている。
【００２７】
底板１６を水平に倒した時には底板１６の両サイド下面は側枠下部横材１５に当っており、底板１６の後部下面は後部枠下部横材１４に当っていて底板１６にかかる荷重は側枠下部横材１５と後部枠下部横材１４にかかるように前部後部両ガイドピン２２，２３，支持ピン２１とガイドブラケット３１、支持ブラケット２６とは遊びが設けられている。
【００２８】
底板１６を水平状態から起立垂直状態に回動する際には、まず底板１６を手前に引出して前部ガイドピン２３をガイドブラケット水平溝３２から外し同時に後部ガイドピン２２が支持ブラケット水平溝２９から外れ支持ピン２１がＬ字状長孔２７の垂直部まで案内され、次に底板１６を回動起立させて垂直状態にすると後部ガイドピン２２が支持ブラケット垂直溝２８入り口から下方にスライドし、同時に支持ピン２１が支持ブラケット２６のＬ字状長孔２７の垂直部下方に案内される。これにより底板１６は垂直状態を保持される。
【００２９】
底板１６を垂直位置に起立させた状態で可動側枠１３を内側に回動させて折畳むことで、かご台車全体が平面Ｌ型になりネスティングが可能な状態となる。
【符号の説明】
【００３０】
１    かご台車
１１  後部枠
１２  固定側枠
１３  可動側枠
１４  後部枠下部横材
１５  側枠下部横材
１６  底板
１６ａ  開口部
１７  キャスター取付板
１８  キャスター
１９  連結金具
２１  支持ピン
２２  後部ガイドピン
２３  前部ガイドピン
２６  支持ブラケット
２７  Ｌ字状長孔
２８  支持ブラケット垂直溝
２９  支持ブラケット水平溝
３１  ガイドブラケット
３２  ガイドブラケット水平溝
３３  傾斜部
１０１  側枠下部横材
１０２  後部枠
１０７  底板
１０７ｄ  開口部
ｃ１    ロック杆
ｃ２    コイルスプリング
ｃ４    ロック杆受け部材
ｃ４’  溝
ｃ４”  傾斜案内部
ｃ５    ロック杆受け部材
ｃ５’  溝
ｃ５”  傾斜案内部
【図１】
2011183932.tif 000003
【図２】
2011183932.tif 000004
【図３】
2011183932.tif 000005
【図４】
2011183932.tif 000006
【図５】
2011183932.tif 000007
【図６】
2011183932.tif 000008
【図７】
2011183932.tif 000009